(57)【要約】【課題】住居内の所定の場所間における温度差を許容範囲に収める。【解決手段】温度センサ１１は、寝室内の空気温度を計測し、計測した結果をシステムコントローラ１０に送信する。温度センサ１３（１５）は、廊下（トイレ内）の空気温度を計測し、計測した結果をシステムコントローラ１０に送信する。システムコントローラ１０は、温度センサ１１の計測結果と、温度センサ１３（１５）の計測結果と、に基づいて、寝室と廊下（トイレ）間の空気温度の調整の要否を判定し、調整が必要であると判定した場合、給気用ファン１２に寝室内の空気を天井裏に配設されたダクト内に給気させ、排気用ファン１４（１６）にダクトを介して寝室から送られてきた空気を廊下（トイレ）に排気させる。【選択図】図１
2014077562.tif 000002
【特許請求の範囲】
【請求項１】
第１の温度計測手段と、第２の温度計測手段と、給気手段と、排気手段と、システムコントローラと、から構成される温度調整システムであって、
前記第１の温度計測手段は、建物内の第１の場所における空気温度を計測し、計測した空気温度を含む第１の温度データを前記システムコントローラに出力し、
前記第２の温度計測手段は、前記建物内の第２の場所における空気温度を計測し、計測した空気温度を含む第２の温度データを前記システムコントローラに出力し、
前記給気手段は、前記第１の場所における空気を前記建物内に配設されたダクト内に給気し、
前記排気手段は、前記ダクトを介して前記第１の場所から送られてきた空気を前記第２の場所に排気し、
前記システムコントローラは、
前記第１の温度計測手段及び前記第２の温度計測手段からそれぞれ出力された前記第１の温度データ及び前記第２の温度データを取得する温度データ取得手段と、
前記給気手段の動作を制御する給気制御手段と、
前記排気手段の動作を制御する排気制御手段と、
前記第１の温度データと、前記第２の温度データと、に基づいて、前記第１の場所と前記第２の場所との間における空気温度の調整の要否を判定する調整要否判定手段と、を備え、
前記調整要否判定手段によって空気温度の調整が必要であると判定された場合、前記給気制御手段は、前記給気手段に給気動作を行わせ、前記排気制御手段は、前記排気手段に排気動作を行わせる、
ことを特徴とする温度調整システム。
【請求項２】
前記調整要否判定手段は、前記第１の温度データが示す空気温度と、前記第２の温度データが示す空気温度との温度差を算出し、算出した温度差が所定の閾値を超えている場合に、前記第１の場所と前記第２の場所との間における空気温度の調整が必要であると判定する、
ことを特徴とする請求項１に記載の温度調整システム。
【請求項３】
ユーザが前記第１の場所から前記第２の場所へ移動する予定の時間帯に関する移動予定時間帯情報を記憶する時間帯情報記憶手段と、をさらに備え、
前記調整要否判定手段は、前記時間帯情報記憶手段に記憶されている前記移動予定時間帯情報が示す時間帯の開始時刻より所定時間前に前記判定を行う、
ことを特徴とする請求項１又は２に記載の温度調整システム。
【請求項４】
建物内の第１の場所における空気温度を計測し
前記建物内の第２の場所における空気温度を計測し、
前記第１の場所における空気温度と、前記第２の場所における空気温度と、に基づいて、前記第１の場所と前記第２の場所との間における空気温度の調整の要否を判定し、
前記空気温度の調整が必要であると判定した場合、給気手段に、前記第１の場所における空気を前記建物内に配設されたダクト内に給気させる動作を行わせ、排気手段に、前記ダクトを介して前記第１の場所から送られてきた空気を前記第２の場所に排気させる動作を行わせる、
ことを特徴とする温度調整方法。
【請求項５】
建物内の第１の場所において計測された第１の空気温度と、前記建物内の第２の場所において計測された第２の空気温度と、を取得する空気温度取得手段と、
前記第１の場所における空気を前記建物内に配設されたダクト内に給気する給気手段の動作を制御する給気制御手段と、
前記ダクトを介して前記第１の場所から送られてきた空気を前記第２の場所に排気する排気手段の動作を制御する排気制御手段と、
前記第１の空気温度と、前記第２の空気温度と、に基づいて、前記第１の場所と前記第２の場所との間における空気温度の調整の要否を判定する調整要否判定手段と、を備え、
前記調整要否判定手段によって空気温度の調整が必要であると判定された場合、前記給気制御手段は、前記給気手段に給気動作を行わせ、前記排気制御手段は、前記排気手段に排気動作を行わせる、
ことを特徴とするシステムコントローラ。
【請求項６】
コンピュータを、
建物内の第１の場所において計測された第１の空気温度と、前記建物内の第２の場所において計測された第２の空気温度と、を取得する空気温度取得手段、
前記第１の場所における空気を前記建物内に配設されたダクト内に給気する給気手段の動作を制御する給気制御手段、
前記ダクトを介して前記第１の場所から送られてきた空気を前記第２の場所に排気する排気手段の動作を制御する排気制御手段、
前記第１の空気温度と、前記第２の空気温度と、に基づいて、前記第１の場所と前記第２の場所との間における空気温度の調整の要否を判定する調整要否判定手段、として機能させ、
前記調整要否判定手段によって空気温度の調整が必要であると判定された場合、前記給気制御手段は、前記給気手段に給気動作を行わせ、前記排気制御手段は、前記排気手段に排気動作を行わせる、
ことを特徴とするプログラム。
【発明の詳細な説明】
【技術分野】
【０００１】
本発明は、住居内の空気温度を調整する技術に関する。
【背景技術】
【０００２】
一般に、同じ住居内であっても、寝室等の各部屋、廊下、リビングルーム、台所、トイレ、脱衣場、浴室、トイレ等、場所によって空気温度は異なり、特に、夏季又は冬季等、空調機器等を用いて温度調整する季節では、その傾向が顕著に表れる。
【０００３】
住居内において温度差が激しい場所間（例えば、寝室からトイレ、寝室から浴室等）を移動すると、急激な温度変化によって、血圧が急激に上昇、下降したり、脈拍が早くなったりする状態（いわゆる、ヒートショック）に陥る危険性が知られている。
【０００４】
例えば、特許文献１には、このようなヒートショックの発生を抑制することを目的としたシステムが提案されている。このシステムでは、夜間の時間帯において、寝室と廊下との温度差が閾値（例えば、６℃）より大きい場合、廊下及びトイレのそれぞれに設けられたエアコンに冷房又は暖房運転を行わせて、廊下やトイレの温度を寝室の温度に近づけるようにする。
【先行技術文献】
【特許文献】
【０００５】
【特許文献１】特開２０１１−６９５３９号公報
【発明の概要】
【発明が解決しようとする課題】
【０００６】
上記特許文献１で提案されるシステムのように、廊下やトイレに設置されたエアコンを動作させることで、廊下やトイレの温度を寝室の温度に確実に近づけることは可能となる。しかしながら、複数台のエアコンを稼働させるため、消費電力が増加し、省エネルギーの観点からは、不都合な点もあることは否定できない。
【０００７】
本発明は、上記実情に鑑みてなされたものであり、消費電力の増加を抑制しつつ、住居内の所定の場所間における空気温度の差を許容範囲に収めるようにする温度調整システム、温度調整方法、システムコントローラ及びプログラムを提供することを目的とする。
【課題を解決するための手段】
【０００８】
上記目的を達成するため、本発明に係る温度調整システムは、
第１の温度計測手段と、第２の温度計測手段と、給気手段と、排気手段と、システムコントローラと、から構成される温度調整システムであって、
前記第１の温度計測手段は、建物内の第１の場所における空気温度を計測し、計測した空気温度を含む第１の温度データを前記システムコントローラに出力し、
前記第２の温度計測手段は、前記建物内の第２の場所における空気温度を計測し、計測した空気温度を含む第２の温度データを前記システムコントローラに出力し、
前記給気手段は、前記第１の場所における空気を前記建物内に配設されたダクト内に給気し、
前記排気手段は、前記ダクトを介して前記第１の場所から送られてきた空気を前記第２の場所に排気し、
前記システムコントローラは、
前記第１の温度計測手段及び前記第２の温度計測手段からそれぞれ出力された前記第１の温度データ及び前記第２の温度データを取得する温度データ取得手段と、
前記給気手段の動作を制御する給気制御手段と、
前記排気手段の動作を制御する排気制御手段と、
前記第１の温度データと、前記第２の温度データと、に基づいて、前記第１の場所と前記第２の場所との間における空気温度の調整の要否を判定する調整要否判定手段と、を備え、
前記調整要否判定手段によって空気温度の調整が必要であると判定された場合、前記給気制御手段は、前記給気手段に給気動作を行わせ、前記排気制御手段は、前記排気手段に排気動作を行わせる、ことを特徴とする。
【発明の効果】
【０００９】
本発明によれば、消費電力の増加を抑制しつつ、建物内の所定の場所間の空気温度の差を許容範囲に収めることが可能となる。
【図面の簡単な説明】
【００１０】
【図１】本発明の実施形態に係る温度調整システムの全体構成を示す図である。
【図２】本実施形態におけるダクト、寝室側の給気用ファン、廊下側の排気用ファン、トイレ側の排気用ファンを説明するための図である。
【図３】本実施形態のシステムコントローラの構成を示すブロック図である。
【図４】本実施形態のシステムコントローラが備える制御部の機能的な構成を示すブロック図である。
【図５】本実施形態の温度調整処理の手順を示すフローチャートである。
【発明を実施するための形態】
【００１１】
以下、本発明の実施形態について図面を参照して詳細に説明する。
【００１２】
図１は、本発明の実施形態に係る温度調整システム１の全体構成を示す図である。この温度調整システム１は、一般家庭における住居に導入され、住居内の所定の場所間（本実施形態では、寝室と廊下間及び寝室とトイレ間）の空気温度の差が許容範囲に収まるようにするためのシステムである。図示するように、温度調整システム１は、システムコントローラ１０と、温度センサ１１，１３，１５と、給気用ファン１２と、排気用ファン１４，１６と、を含んで構成される。これらは、住居内に構築された宅内ネットワーク１７に有線又は無線にて通信可能に接続されている。宅内ネットワーク１７は、例えば、ＥＣＨＯＮＥＴに準じたネットワークである。
【００１３】
システムコントローラ１０は、詳細は後述するが、温度センサ１１，１３，１５の計測結果から、寝室と廊下間及び寝室とトイレ間の空気温度の差を監視し、各々の空気温度の差が予め設定した閾値を超えた場合、当該場所間の空気温度の差が縮まるように、給気用ファン１２と、排気用ファン１４及び／又は排気用ファン１６とを制御する。
【００１４】
温度センサ１１（第１の温度計測手段）は、寝室の壁や天井等に設置され、寝室内の空気温度を計測し、計測した結果を格納したデータ（温度データ）を所定のタイミングで宅内ネットワーク１７を介してシステムコントローラ１０に送信する。温度センサ１３（第２の温度計測手段）は、廊下の壁や天井等に設置され、廊下（の上の空間）の空気温度を計測し、計測した結果を格納した温度データを所定のタイミングで宅内ネットワーク１７を介してシステムコントローラ１０に送信する。温度センサ１５（第２の温度計測手段）は、トイレの壁や天井等に設置され、トイレ内の空気温度を計測し、計測した結果を格納した温度データを所定のタイミングで宅内ネットワーク１７を介してシステムコントローラ１０に送信する。
【００１５】
給気用ファン１２（給気手段）は、図２に示すように、この住居の天井裏等に配設されたダクト１８の給気口１８ａ近傍に設けられている。給気用ファン１２は、寝室の天井に設けられた給気口１８ａから寝室内の空気を取り込むための電動式のファンであり、その回転数（回転速度）は、システムコントローラ１０からの制御データに従って調整される。
【００１６】
また、排気用ファン１４（排気手段）は、ダクト１８における、廊下の天井に設けられた排気口１８ｂ近傍に設けられており、排気用ファン１６（排気手段）は、トイレの天井に設けられた排気口１８ｃ近傍に設けられている。排気用ファン１４，１６は、ダクト１８を介して寝室から送られてきた空気を排気するための電動式のファンであり、その回転数（回転速度）は、システムコントローラ１０からの制御データに従って調整される。
【００１７】
システムコントローラ１０は、住居内の所定の場所に設置され、図３に示すように、通信部１００と、表示部１０１と、入力部１０２と、データ記憶部１０３と、制御部１０４と、を備える。
【００１８】
通信部１００は、例えば、ＬＡＮカード等の通信インタフェースを含んで構成され、宅内ネットワーク１７に有線又は無線にて通信可能に接続し、制御部１０４の制御の下、温度センサ１１，１３，１５、給気用ファン１２、排気用ファン１４，１６と宅内ネットワーク１７を介したデータ通信を行う。
【００１９】
表示部１０１は、液晶表示器等で構成され、制御部１０４の制御の下、各場所の温度を示す画面やユーザ操作用の各種画面を表示する。入力部１０２は、タッチパネル、タッチパッド等から構成され、ユーザからの操作入力を受け付ける処理を行う。
【００２０】
データ記憶部１０３は、いわゆる二次記憶装置（補助記憶装置）としての役割を担い、例えば、フラッシュメモリ等の読み書き可能な不揮発性の半導体メモリ等で構成される。データ記憶部１０３は、温度センサ１１、１３，１５、給気用ファン１２、排気用ファン１４，１６を制御するためのデータやプログラム等を記憶する。
【００２１】
制御部１０４は、ＣＰＵ（Central Processing Unit）、ＲＯＭ（Read Only Memory）、ＲＡＭ（Random Access Memory）等から構成され、当該システムコントローラ１０全体の制御を行う。制御部１０４は、機能的には、図４に示すように、温度データ取得部１０４０と、調整要否判定部１０４１と、給気用ファン制御部１０４２と、排気用ファン制御部１０４３と、を備える。これらの構成部の機能は、ＣＰＵ等が、データ記憶部１０３に記憶されている所定のプログラム（温度調整プログラム）を実行することで実現される。
【００２２】
温度データ取得部１０４０は、温度センサ１１，１３，１５から所定のタイミングで温度データを取得する。本実施形態では、温度データ取得部１０４０は、予めユーザが設定したトイレ時間帯の開始１０分前になると、温度センサ１１，１３，１５のそれぞれに対して、温度データの送信を要求する。これに応答して、温度センサ１１，１３，１５のそれぞれから温度データが送信され、通信部１００によって受信されると、温度データ取得部１０４０は、受信された温度センサ１１，１３，１５からの各温度データを調整要否判定部１０４１に供給する。
【００２３】
ここで、上記のトイレ時間帯とは、夜間において、ユーザ（この住居の生活者）がトイレに行く可能性の高い時間帯であり、かかる情報（移動予定時間帯情報）は、予めユーザにより入力部１０２を介して設定され、データ記憶部１０３に記憶されているものとする。
【００２４】
調整要否判定部１０４１は、温度センサ１１，１３，１５からの各温度データに基づいて、寝室と廊下間及び／又は寝室とトイレ間で温度調整をする必要があるか否かを判定する。より詳細には、調整要否判定部１０４１は、温度センサ１１からの温度データが示す温度（即ち、寝室内の空気温度）と温度センサ１３からの温度データが示す温度（即ち、廊下の空気温度）との温度差を求め、この求めた温度差が予め設定した閾値（例えば、５℃）を超えている場合に、寝室と廊下間の温度調整が必要であると判定する。
【００２５】
また、調整要否判定部１０４１は、温度センサ１１からの温度データが示す温度（寝室内の空気温度）と温度センサ１５からの温度データが示す温度（即ち、トイレ内の空気温度）との温度差を求め、この求めた温度差が上記の閾値を超えている場合に、寝室とトイレ間の温度調整が必要であると判定する。
【００２６】
給気用ファン制御部１０４２は、調整要否判定部１０４１により温度調整が必要であると判定された場合、給気用ファン１２を回転させるための制御データを生成し、生成した制御データを通信部１００を介して給気用ファン１２に送信する。この際、給気用ファン制御部１０４２は、各場所間の温度差や各場所の空気温度等をパラメータとして、給気用ファン１２の回転速度を調整する。
【００２７】
排気用ファン制御部１０４３は、調整要否判定部１０４１により、寝室と廊下間の温度調整が必要であると判定された場合、排気用ファン１４を回転させるための制御データを生成し、生成した制御データを通信部１００を介して排気用ファン１４に送信する。この際、排気用ファン制御部１０４３は、寝室と廊下間の温度差やこれら各々の空気温度等をパラメータとして、排気用ファン１４の回転速度を調整する。
【００２８】
また、排気用ファン制御部１０４３は、調整要否判定部１０４１により、寝室とトイレ間の温度調整が必要であると判定された場合、排気用ファン１６を回転させるための制御データを生成し、生成した制御データを通信部１００を介して排気用ファン１６に送信する。この際、排気用ファン制御部１０４３は、寝室とトイレ間の温度差やこれら各々の空気温度等をパラメータとして、排気用ファン１６の回転速度を調整する。
【００２９】
図５は、以上のように構成されたシステムコントローラ１０の制御部１０４により実行される温度調整処理の手順を示すフローチャートである。この温度調整処理は、夜間（例えば、午後８時から翌日の午前６時まで）において、所定時間（本実施形態では、１０分）毎に実行される。
【００３０】
先ず、温度データ取得部１０４０は、現在時刻を取得する（ステップＳ１０１）。例えば、温度データ取得部１０４０は、現在時刻を当該システムコントローラ１０が備える図示しない時計機能部から取得する。
【００３１】
温度データ取得部１０４０は、データ記憶部１０３から、上述したトイレ時間帯を示す情報を読み出す（ステップＳ１０２）。本実施形態では、例えば、ユーザにより、午後１０から１１時、午前２時〜３時までの２つの時間帯についての情報が、トイレ時間帯を示す情報として予め設定され、データ記憶部１０３に保存されているものとする。以降、先のトイレ時間帯を第１のトイレ時間帯といい、後のトイレ時間帯を第２のトイレ時間帯という。
【００３２】
温度データ取得部１０４０は、取得した現在時刻が、読み出した第１及び第２のトイレ時間帯の内の何れかの開始時刻の約１０分前に該当するか否かを判定する（ステップＳ１０３）。例えば、温度データ取得部１０４０は、現在時刻が、午後９時４７分〜１０時５３分の範囲にある場合、現在時刻は、第１のトイレ時間帯の開始時刻の約１０分前に該当すると判定する。また、温度データ取得部１０４０は、現在時刻が、午前１時４７分〜１時５３分の範囲にある場合、現在時刻は、第２のトイレ時間帯の開始時刻の約１０分前に該当すると判定する。
【００３３】
上記判定の結果、取得した現在時刻が、読み出した第１及び第２のトイレ時間帯の内の何れの開始時刻の約１０分前にも該当しない場合（ステップＳ１０３；ＮＯ）、本処理は終了する。
【００３４】
一方、取得した現在時刻が、読み出した第１及び第２のトイレ時間帯の内の何れかの開始時刻の約１０分前に該当する場合（ステップＳ１０３；ＹＥＳ）、温度データ取得部１０４０は、温度センサ１１，１３，１５に対して、計測結果の送信を要求するデータ（送信要求データ）を通信部１００を介して送信する（ステップＳ１０４）。温度センサ１１，１３，１５のそれぞれは、かかる送信要求データを受信すると、計測結果を格納した温度データをシステムコントローラ１０に送信する。
【００３５】
温度センサ１１，１３，１５のそれぞれから送信された温度データが、通信部１００により受信されると（ステップＳ１０５；ＹＥＳ）、調整要否判定部１０４１は、上述したようにして、温度センサ１１，１３，１５からの各温度データに基づいて、寝室と廊下間又は寝室とトイレ間の少なくとも一方で温度調整をする必要があるか否かを判定する（ステップＳ１０６）。
【００３６】
夏季や冬季等、生活者が外気温では暑い又は寒いと体感する季節では、夜間の寝室においては、快適性を重視して、空調機器を稼働させるケースが多いといえる。その一方、廊下やトイレ内においては、空調を行って空間温度を適温に維持するケースは多いとはいえない。その結果、夏季や冬季等の季節では、寝室内の空気温度と廊下やトイレ内の空気温度の差が大きく拡がってしまう状況が起こり得る。上記の温度調整が必要とされる状況には、このように、寝室内においては空調が行われ、一方、廊下やトイレ内においては空調を行っていないことにより、寝室内と廊下又は寝室とトイレ内における空気温度の差が大きく拡がってしまったケースが当てはまることになる。
【００３７】
上記の判定の結果、寝室と廊下間又は寝室とトイレ間の何れにおいても温度調整が必要でない場合（ステップＳ１０６；ＮＯ）、本処理は終了する。
【００３８】
一方、上記の判定の結果、寝室と廊下間又は寝室とトイレ間の何れかで温度調整が必要である場合（ステップＳ１０６；ＹＥＳ）、給気用ファン制御部１０４２は、給気用ファン１２を回転させるための制御データを生成し、生成した制御データを通信部１００を介して給気用ファン１２に送信する（ステップＳ１０７）。かかる制御データを受信すると、給気用ファン１２は、回転を開始し、これにより、寝室内の空気（ここでは、適温に空調されている空気）が、給気口１８ａからダクト１８に取り込まれる（流入する）。
【００３９】
給気用ファン制御部１０４２は、上記の制御データの送信後、所定時間（例えば、１時間）が経過すると、給気用ファン１２の回転を停止させるための制御データを給気用ファン１２に送信する。これにより、給気用ファン１２の回転は停止する。
【００４０】
また、上記の調整要否判定部１０４１による判定の結果、寝室と廊下間で温度調整が必要である場合（ステップＳ１０８；ＹＥＳ）、排気用ファン制御部１０４３は、排気用ファン１４を回転させるための制御データを生成し、生成した制御データを通信部１００を介して排気用ファン１４に送信する（ステップＳ１０９）。かかる制御データを受信すると、排気用ファン１４は、回転を開始し、これにより、ダクト１８を介して寝室から送られてきた空気が、排気口１８ｂから排気される。
【００４１】
しかる後、上述した給気用ファン１２の回転を停止させるための制御データが給気用ファン制御部１０４２によって送信されると、これに同期して、排気用ファン制御部１０４３は、排気用ファン１４の回転を停止させるための制御データを排気用ファン１４に送信する。これにより、排気用ファン１４の回転は停止する。
【００４２】
また、上記の調整要否判定部１０４１による判定の結果、寝室とトイレ間で温度調整が必要である場合（ステップＳ１１０；ＹＥＳ）、排気用ファン制御部１０４３は、排気用ファン１６を回転させるための制御データを生成し、生成した制御データを通信部１００を介して排気用ファン１６に送信する（ステップＳ１１１）。かかる制御データを受信すると、排気用ファン１６は、回転を開始し、これにより、ダクト１８を介して寝室から送られてきた空気が、排気口１８ｃから排気される。
【００４３】
しかる後、上述した給気用ファン１２の回転を停止させるための制御データが給気用ファン制御部１０４２によって送信されると、これに同期して、排気用ファン制御部１０４３は、排気用ファン１６の回転を停止させるための制御データを排気用ファン１６に送信する。これにより、排気用ファン１６の回転は停止する。
【００４４】
以上説明したように、本実施形態の温度調整システム１によれば、ユーザが夜間にトイレに行くことが予想される時間帯（トイレ時間帯）の開始前に、寝室と廊下及び寝室とトイレ間の空気温度の差を取得し、少なくとも何れか一方の場所間の空気温度の差が予め設定した閾値を超えている場合、寝室内の空気を用いて、当該場所間の空気温度の差を縮める（狭める）ための温度調整を行う。具体的には、寝室と廊下間において、空気温度の差が閾値を超えている場合には、寝室の空気をダクト１８を介して廊下側に送る。また、寝室とトイレ間において、空気温度の差が閾値を超えている場合には、寝室の空気をダクト１８を介してトイレ内に送る。
【００４５】
これにより、廊下やトイレにおいて、空調機器を稼働させることなく、寝室と廊下間、寝室とトイレ間の空気温度の差を許容範囲に収めることが可能となる。その結果、消費電力の増加を抑制しつつ、住居内の異なる場所間の移動の際の急激な温度変化を起因とした、いわゆるヒートショックの発生を効果的に抑制することができる。
【００４６】
なお、本発明は、上記実施形態に限定されず、本発明の要旨を逸脱しない範囲での種々の変更は勿論可能である。
【００４７】
例えば、システムコントロ−ラ１０は、温度センサ１１，１３，１５、給気用ファン１２、換気用ファン１４，１６との間のデータ通信を宅内ネットワーク１７を介して行っていたが、システムコントロ−ラ１０と、温度センサ１１，１３，１５、給気用ファン１２、換気用ファン１４，１６の各々とが、それぞれ別個の専用通信線でデータ通信可能に接続される構成であってもよい。
【００４８】
また、上記実施形態では、システムコントロ−ラ１０からの要求に応答して、温度センサ１１，１３，１５から温度データが送られてきたが、温度センサ１１，１３，１５から自発的に送られるようにしてもよい。この場合、温度センサ１１，１３，１５は、例えば、１分間隔で温度データをシステムコントロ−ラ１０に送信し、システムコントロ−ラ１０は、所定時間毎（例えば、１０分毎）に実行される、上述の温度調整処理（図５参照）において、温度センサ１１，１３，１５から最初に送られてきた温度データを用いて、各場所間における空気温度の差を取得すればよい。
【００４９】
また、上記実施形態では、給気用ファン制御部１０４２は、給気用ファン１２を回転制御を開始してから所定時間（例えば、１時間）経過すると、給気用ファン１２の回転を停止させていたが、給気用ファン１２の回転を停止させるタイミングは任意の設計事項である。例えば、第１又は第２トイレ時間帯の終了時刻に合わせて停止させてもよいし、当該場所間における空気温度の差が予め設定した閾値より小さくなった場合に停止させてもよい。
【００５０】
また、寝室からの空調された空気を送り込める場所は、廊下やトイレのみに限定されることはない。例えば、脱衣場や浴室等、様々な場所に空調された空気を送り込むことも当然可能である。この場合も、廊下やトイレのように、各場所の天井等に、ダクト１８に連結する排気口を設け、各排気口の近傍に排気用ファンを、システムコントローラ１０が制御可能なように設置すればよい。そして、各場所に温度センサを設置し、各温度センサの計測結果が、システムコントローラ１０にデータ通信により通知できるように構成すればよい。そして、トイレ時間帯と同様に、例えば、入浴時間帯等、当該場所に行く予定の時間帯を予めユーザが設定し、かかる時間帯についての情報（移動予定時間帯情報）をデータ記憶部１０３に保持しておくようにすればよい。
【００５１】
また、空調された空気の送り元の場所は、寝室に限定されず、例えば、リビングルーム等であってもよく、また、複数の場所が送り元となり得るように構成してもよい。この場合も、寝室のように、各場所の天井等に、ダクト１８に連結する給気口を設け、各給気口の近傍に給気用ファンを、システムコントローラ１０が制御可能なように設置すればよい。そして、各場所に温度センサを設置し、各温度センサの計測結果が、システムコントローラ１０にデータ通信により通知できるように構成すればよい。
【００５２】
また、空調された空気の送り元となり得る場所が複数ある場合、時間帯によって送り元の場所を選択してもよい。例えば、１８時〜２２時までの時間帯では、リビングルームを送り元の場所として選択し、２２時〜翌日の６時までの時間帯では、寝室を送り元の場所として選択してもよい。あるいは、これらの送り元となり得る場所に各々設置された空調機器と、システムコントローラ１０とがデータ通信可能に接続される構成にして、システムコントローラ１０は、現時点で空調動作を行っている空調機器が設置された場所を、空気の送り元の場所として選択するようにしてもよい。
【００５３】
また、例えば、タブレット端末等の携帯端末を用いて、システムコントローラ１０を遠隔操作できるように構成して、当該携帯端末から、ユーザが強制的に、システムコントローラ１０に温度調整処理を実行させるようにしてもよい。このようすれば、予め設定したトイレ時間帯とは離れた時刻にトイレに行きたくなった場合でも対応できるため、利便性が向上する。
【００５４】
また、トイレ時間帯や入浴時間帯等を、ユーザによる入力操作ではなく、システムコントローラ１０が、当該ユーザの生活パターンから学習してトイレ時間帯等を設定するようにしてもよい。例えば、トイレの使用に関しては、水洗トイレの給水管の外側にショックセンサを設置して、かかるショックセンサの測定結果がシステムコントローラ１０にデータ通信にて通知できる構成にて、トイレの使用有無をシステムコントローラ１０が判断できるようにしてもよい。あるいは、トイレのドアの開閉や、トイレの照明のＯＮ／ＯＦＦ等が、システムコントローラ１０で判断できる構成にしてもよい。システムコントローラ１０は、このようにして取得可能なトイレの使用実績（例えば、トイレの使用開始時刻）を所定期間収集し、その収集した使用実績の履歴に対して、所定の統計処理を施すことで、当該住居の生活者の通常のトイレ時間帯を導出することができる。
【００５５】
また、例えば、入浴に関しては、貯湯タンクユニットから浴槽に供給する湯量を検出する流量センサを貯湯タンクユニットの所定箇所に設置し、かかる流量センサの測定結果がシステムコントローラ１０にデータ通信にて通知できる構成にして、入浴の有無をシステムコントローラ１０が判断できるようにしてもよい。あるいは、浴室のドアの開閉や、浴室の照明のＯＮ／ＯＦＦ等が、システムコントローラ１０で判断できる構成にしてもよい。システムコントローラ１０は、このようにして取得可能な入浴実績（例えば、入浴開始時刻）を所定期間収集し、その収集した使用実績の履歴に対して、所定の統計処理を施すことで、当該住居の生活者の通常の入浴時間帯を導出することができる。
【００５６】
上記のように、ユーザの生活パターンから、トイレ時間帯等を導出することで、温度調整の精度が高まり、結果として、温度調整のための消費電力の増加をより一層抑制することが可能となる。
【００５７】
また、上記実施形態のシステムコントローラ１０を、ＨＥＭＳ（Home Energy Management System）に統合させるようにしてもよい。この場合、ＨＥＭＳのコントローラをシステムコントローラ１０の機能を吸収させた構成にすればよい。
【００５８】
また、上記実施形態において、システムコントローラ１０が実行したプログラムを、既存のパーソナルコンピュータ（ＰＣ）や携帯端末等に適用することで、当該ＰＣや携帯端末等を本発明に係るシステムコントローラとして機能させることも可能である。
【００５９】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【符号の説明】
【００６０】
１  温度調整システム、１０  システムコントローラ、１１，１３，１５  温度センサ、１２  給気用ファン、１４，１６  排気用ファン、１７  宅内ネットワーク、１８  ダクト、１８ａ  給気口、１８ｂ，１８ｃ  排気口、１００  通信部、１０１  表示部、１０２  入力部、１０３  データ記憶部、１０４  制御部、１０４０  温度データ取得部、１０４１  調整要否判定部、１０４２  給気用ファン制御部、１０４３  排気用ファン制御部
【図１】
2014077562.tif 000003
【図２】
2014077562.tif 000004
【図３】
2014077562.tif 000005
【図４】
2014077562.tif 000006
【図５】
2014077562.tif 000007